(57)【要約】【課題】ベビーカーに乗せた赤ん坊を虫刺されから守ることができ、また雨よけと日除けとしての機能も有し、しかもベビーカー用カバー、及びこれを装着したベビーカー、更にベビーカーに装着しない状態ではコンパクトに畳んで持ち運ぶことができるベビーカー用カバー、ベビーカー用カバーセットを提供する。【解決手段】ベビーカー用カバー１はベビーカー４５の本体４７をすっぽり包むように装着され、シート５はメッシュ部１１を含めて全体が、蚊等の小さな昆虫が通り抜けることができないように構成されている。従って、座席部４９に座っている赤ん坊Bが蚊等に刺されるのを防ぐことができる。また、メッシュ部１１が高い通気性を有するので、ベビーカー用カバー１の内部は蒸れてしまうのを防止できる。更にメッシュ部１１は紫外線をカットできるので、赤ん坊が紫外線に曝されるのを抑制することができる。【選択図】        図４
2009119933.tif 000002
【特許請求の範囲】
【請求項１】
フレームと、前記フレームに支持された柔軟性を有するシートとを有し、ベビーカーの座席部全体を覆う状態にベビーカーに対し装着され固定手段により固定されるベビーカー用カバーにおいて、シートはベビーカー内に蚊等の虫が侵入することを防ぐことができ、且つ通気可能に構成されていることを特徴とするベビーカー用カバー。
【請求項２】
請求項１に記載したベビーカー用カバーにおいて、シートは紫外線の大部分を遮るものであることを特徴とするベビーカー用カバー。
【請求項３】
請求項１また２に記載したベビーカー用カバーにおいて、フレームは弾性変形可能な細幅で扁平な板状の芯材と、前記芯材が挿入される柔軟性を有する材料によって構成された管状体とによって構成されており、フレームの一部分どうしが重なり合う状態にして扁平に畳むことができることを特徴とするベビーカー用カバー。
【請求項４】
請求項１から３のいずれかに記載したベビーカー用カバーにおいて、ベビーカーに装着した状態でベビーカーの座席部に雨がかかるのを防止する雨よけカバーが設けられ、前記雨よけカバーは基端部がシートに固定されており、非使用時には収納部に収納され、使用する場合には前記収納部から出して使用するものであることを特徴とするベビーカー用カバー。
【請求項５】
請求項１から４のいずれかに記載したベビーカー用カバーにおいて、ベビーカーに装着した状態でベビーカーの座席部に日が射すのを緩和する日よけカバーが設けられ、前記日よけカバーは基端部がシートに固定されており、非使用時には収納部に収納され、使用する場合には前記収納部から出して使用するものであることを特徴とするベビーカー用カバー。
【請求項６】
請求項５に記載したベビーカー用カバーにおいて、日よけカバーを収納する収納部は雨よけカバーを収納する収納部を兼ねていることを特徴とするベビーカー用カバー。
【請求項７】
請求項１から６のいずれかに記載したベビーカー用カバーを扁平に畳んだ状態で収納する収納バッグを具備することを特徴とするベビーカー用カバーセット。
【請求項８】
請求項１から６のいずれかに記載したベビーカー用カバーを装着したことを特徴とするベビーカー。
【発明の詳細な説明】
【技術分野】
【０００１】
本発明はベビーカー用カバー、ベビーカー用カバーセット及びベビーカーに関するものである。
【背景技術】
【０００２】
ベビーカーに装着して座席部に乗っている赤ん坊を保護する物品としては、例えば特許文献1に記載されたベビーカー用の補助日除けがある。
【０００３】
【特許文献１】特開２００６−１１７０５６号公報
【発明の開示】
【発明が解決しようとする課題】
【０００４】
しかしながら、特許文献１のベビーカー用の補助日除けをベビーカーに装着しても、ベビーカーの座席部は完全に露出している。
従って、赤ん坊が蚊、蚋等の害虫に刺されてしまうのを防ぐことは全くできない。また雨よけとしては殆ど役に立たない。
更に、主に上方からの日光を遮るに止まるため、反射して側方から当たる日光を遮ることは殆ど不可能である。また、このベビーカー用の補助日除けはコンパクトに畳むことができないため、ベビーカーに装着しない状態で持ち運ぶのは不便である。
【０００５】
本発明は上記従来の問題点に着目して為されたものであり、ベビーカーに乗せた赤ん坊を虫刺されから守ることができ、また雨よけと日除けとしての機能も有し、しかもベビーカー用カバー、及びこれを装着したベビーカー、更にベビーカーに装着しない状態ではコンパクトに畳んで持ち運ぶことができるベビーカー用カバー、ベビーカー用カバーセットを提供することを、その目的とする。
【課題を解決するための手段】
【０００６】
本発明は上記課題を解決するためになされたものであり、請求項１の発明は、フレームと、前記フレームに支持された柔軟性を有するシートとを有し、ベビーカーの座席部全体を覆う状態にベビーカーに対し装着され固定手段により固定されるベビーカー用カバーにおいて、シートはベビーカー内に蚊等の虫が侵入することを防ぐことができ、且つ通気可能に構成されていることを特徴とするベビーカー用カバーである。
【０００７】
請求項２の発明は、請求項1に記載したベビーカー用カバーにおいて、シートは紫外線の大部分を遮るものであることを特徴とするベビーカー用カバーである。
【０００８】
請求項３の発明は、請求項１また２に記載したベビーカー用カバーにおいて、フレームは弾性変形可能な細幅で扁平な板状の芯材と、前記芯材が挿入される柔軟性を有する材料によって構成された管状体とによって構成されており、フレームの一部分どうしが重なり合う状態にして扁平に畳むことができることを特徴とするベビーカー用カバーである。
【０００９】
請求項４の発明は、請求項１から３のいずれかに記載したベビーカー用カバーにおいて、ベビーカーに装着した状態でベビーカーの座席部に雨がかかるのを防止する雨よけカバーが設けられ、前記雨よけカバーは基端部がシートに固定されており、非使用時には収納部に収納され、使用する場合には前記収納部から出して使用するものであることを特徴とするベビーカー用カバー。
【００１０】
請求項５の発明は、請求項１から４のいずれかに記載したベビーカー用カバーにおいて、ベビーカーに装着した状態でベビーカーの座席部に日が射すのを緩和する日よけカバーが設けられ、前記日よけカバーは基端部がシートに固定されており、非使用時には収納部に収納され、使用する場合には前記収納部から出して使用するものであることを特徴とするベビーカー用カバーである。
【００１１】
請求項６の発明は、請求項５に記載したベビーカー用カバーにおいて、日よけカバーを収納する収納部は雨よけカバーを収納する収納部を兼ねていることを特徴とするベビーカー用カバーである。
【００１２】
請求項７の発明は、請求項１から６のいずれかに記載したベビーカー用カバーを扁平に畳んだ状態で収納する収納バッグを具備することを特徴とするベビーカー用カバーセットである。
【００１３】
請求項８の発明は、請求項１から６のいずれかに記載したベビーカー用カバーを装着したことを特徴とするベビーカーである。
【発明の効果】
【００１４】
本発明のベビーカー用カバーによれば、ベビーカーに乗せた赤ん坊を虫刺されから守ることができる。また雨よけと日除けとしても機能する。
しかもベビーカー用カバーは非使用時においては、ごく簡単に扁平な状態に畳むことが可能で、このコンパクトに畳んだ状態でベビーカー用カバーと共にベビーカー用カバーセットを構成する収納バッグに収納すれば容易に持ち運ぶことができるようになる。
【発明を実施するための最良の形態】
【００１５】
本発明の実施の形態に係るベビーカー用カバー１を図面にしたがって説明する。
ベビーカー用カバー１は、図２に示すフレーム３、このフレーム３に支持されたシート５等によって構成されている。
フレーム３はループ状で、芯材２と、この芯材２を被覆する管状体４とによって構成されている。芯材２は弾性変形可能なバネ性を有する鋼材によって構成され、幅寸法３ｍｍ程度の細幅で扁平な平板状に形成されている。管状体４は柔軟性を有するビニル等の合成樹脂によって構成されている。上記フレーム３は幅寸法３ｍｍ〜５ｍｍ、厚さ寸法０．５ｍｍ〜２ｍｍの範囲で製作する。
【００１６】
フレーム３によってシート５が支持されている。フレーム３はシート５の管状部７に挿入され、芯材２の厚み方向がシート５を押し開く方向となるように備えられている（図２参照）。シート５はフレーム３の弾性力によって図１に示す状態に広げられて支持されている。シート５の下面には開口部９の外周縁は管状に形成され、この管状の外周縁にはゴム紐が挿入されて、これにより開口部９は絞られている。
シート５はポリエステル繊維製またはポリアミド繊維製であり、シート５の両側面部全体と上面部のほぼ全体はメッシュ部１１となっており、このメッシュ部１１のメッシュの大きさは蚊等の小さな昆虫も通り抜けることができない微細なものとなっている。また、メッシュ部１１は紫外線を７０〜９０％遮ることができるようになっている。シート５のメッシュ部１１以外の部分はある程度の通気性と防水性を有している。
図５に示すようにシート５の上面は前端部から三分の二程度が底面と両側面から分離された開閉部６となっており、この開閉部６の範囲で開くことができる。シート５の開閉部６は底面と両側面とファスナ８を介して連結されている。
【００１７】
シート５の開口部９の長手方向ほぼ中央の左右両側の縁には、ベルト１３、１５が取り付けられている。ベルト１３の先端部には連結具の一方側１７が固定され、ベルト１５の先端部には連結具の他方側１９が固定されている。連結具の一方側１７と、他方側１９を係合することによってベルト１３、１５が連結される。
シート５の前側の両端部には、一対のベルト２３、２５がそれぞれ取り付けられており、ベルト２３はベルト２５より短い寸法となっている。ベルト２３には面ファスナの雄側部２７が固定され、ベルト２５には面ファスナの雌側部２９が固定されている。また、後側の両端部には、一対のベルト７５、７６がそれぞれ取り付けられており、ベルト７５はベルト７６より短い寸法となっている。ベルト７５には面ファスナの雄側部７８が固定され、ベルト７６には面ファスナの雌側部８０が固定されている。
上記連結具の一方側１７が取り付けられたベルト１３、連結具の他方側１９が取り付けられたベルト１５、面ファスナの雄側部２７が固定されたベルト２３及び面ファスナの雌側部２９が固定されたベルト２５、面ファスナの雄側部７８が固定されたベルト７５及び面ファスナの雌側部８０が固定されたベルト７６によって固定手段が構成されている。
【００１８】
シート５の上面の後端部には収納部としての収納ポケット３１が設けられている。この収納ポケット３１は前端部に開口を有しており、開口はファスナ３３によって開閉することができる。収納ポケット３１には雨よけカバー３５が収納されており、この雨よけカバー３５の基端部は収納ポケット３１の内部に位置するシート５に固定されている。雨よけカバー３５は例えばポリエチレン製や塩化ビニル製の透明シートによって構成されている。雨よけカバー３５はシート５の上面部のメッシュ部１１を覆う大きさ、形状に形成されている。
雨よけカバー３５の左右両側の縁部には３つの連結片３７がそれぞれ取り付けられており、これら連結片３７にはホックの雄側部３９が固定されている。シート５の左右両側の縁部には連結片４１が固定されており、連結片４１は雨よけカバー３５の連結片３７に対応して設けられている。連結片４１にはホックの雌側部４３が固定されている。
【００１９】
また、収納ポケット３１には日よけカバー７０が収容されており、この日よけカバー７０の基端部は収納ポケット３１の内部に位置するシート５に固定されている。日よけカバー７０はポリエステル繊維製またはポリアミド繊維製の布によって構成され、裏面に遮光性のコーティングが施されている。日よけカバー７０はシート５の上面部のメッシュ部１１の全体を覆う大きさ、形状に形成されている。
日よけカバー７０の左右両側の縁部には３つの連結片７１がそれぞれ取り付けられており、これら連結片７１にはホックの雄側部７３が固定されている。
上記のように収納ポケット３１は日よけカバー７０収納用と雨よけカバー３５収納用を兼ねている。
【００２０】
次に、ベビーカー用カバー１をベビーカー４５に装着して使用する方法について説明する。
ベビーカー４５は、フレーム４６に支持された本体４７を有し、本体４７には開閉できるフード４８、座席部４９が設けられている。またフレーム４６には取っ手５０、下端部に車輪５１が取り付けられた支持脚５３が設けられている。
図３に示すようにベビーカー用カバー１を完全に展開した状態、即ちシート５が図２に示す弾性的に伸びたフレーム３によって引き張られた状態とし、開口部９を拡げて、ベビーカー４５の本体４７に被せる。このとき開口部９は、その外周縁に設けられたゴム紐を弾性的に伸ばして大きく拡げることができるので、ベビーカー用カバー１をベビーカー４５の本体４７に簡単に被せることができる。
【００２１】
ベビーカー用カバー１は本体４７の底部を除くほぼ全体、フード４８及びフレーム４６の一部分を覆う状態に装着される。前記したように開口部９はゴム紐によって絞られているので、シート５は本体４７の底部の一部を包むようにして装着され、座席部４９全体を覆う状態に取り付けられる。
次いで図４に示すように、ベルト１３、１５をベビーカー４５の本体４７の下面側に回し、そして、連結具の一方側１７と他方側１９とを係合させて、ベルト１３とベルト１５とを連結する。また、ベルト２３、２５を前側の左右の支持脚５３にそれぞれ巻き付け、面ファスナの雄側部２７と面ファスナの雌側部２９とを連結する。更にベルト７５、７６を取っ手５０の左右の斜め上方へ向かって延びている部分にそれぞれ巻き付け、面ファスナの雄側部７８と面ファスナの雌側部８０とを連結する。
これら連結されたベルト１３、１５とベルト２３、２５とベルト７５、７６とによって、ベビーカー用カバー１はベビーカー４５にしっかりと固定される。
【００２２】
上記のようにしてベビーカー用カバー１はベビーカー４５の本体４７をすっぽり包むように装着されて座席部４９全体を覆い、シート５はメッシュ部１１を含めて全体が、蚊等の小さな昆虫が通り抜けることができないように構成されている。従って、ベビーカー４５内に蚊等の虫が侵入するのを防ぐことができて、座席部４９に座っている赤ん坊Bが蚊等に刺されるのを防止することができる。また、メッシュ部１１が高い通気性を有するので、ベビーカー用カバー１の内部が蒸れてしまうのを防止できる。更にメッシュ部１１は殆どの紫外線を遮ることができるので、赤ん坊Bが紫外線に曝されるのを抑制することができる。
【００２３】
赤ん坊Bをベビーカー４５から降ろす場合には、図５に示すようにシート５の上面のファスナ８を開いて開閉部６を捲り上げてシート５の上面に形成された開口から赤ん坊Bを出す。
日よけカバー７０を使用する場合には、図６に示すように収納ポケット３１のファスナ３３を開いて、収納ポケット３１から日よけカバー７０を引き出す。そして、日よけカバー７０の連結片７１のホックの雄側部７３を、シート５の連結片４１のホックの雌側部４３に連結する。これにより日よけカバー７０はシート５の上面のメッシュ部１１を覆う状態に固定される。従って、座席部に日が射すのを緩和することができて、ベビーカー４５に乗っている赤ん坊Bが直射日光に曝されるのを防ぐことができる。なお、日よけカバー７０を約半分のところで折り返して固定して用いてもよい。
【００２４】
また、雨よけカバー３５を使用する場合には、図７に示すように収納ポケット３１のファスナ３３を開いて、収納ポケット３１から雨よけカバー３５を引き出す。そして、雨よけカバー３５の連結片３７のホックの雄側部３９を、シート５の連結片４１のホックの雌側部４３に連結する。これにより雨よけカバー３５はシート５の上面のメッシュ部１１を覆う状態に固定される。従って、ベビーカー４５に乗っている赤ん坊Bが雨に濡れるのを防ぐことができる。このように簡単な操作で雨よけカバー３５を使用状態にできるので、不意に雨が降ってきた場合でも迅速に対応することができる。
【００２５】
雨よけカバー３５は非使用時には収納ポケット３１に収納されているので邪魔になることがなく、また雨よけカバー３５は収納ポケット３１の内部に固定されているので、シート５から分離して無くなってしまうのを完全に防止することができる。
【００２６】
ベビーカー用カバー１をベビーカー４５から外す場合には、連結具の一方側１７と他方側１９との係合を解除し、ベルト１３とベルト１５との連結を解除する。また、面ファスナの雄側部２７と面ファスナの雌側部２９との連結を解除して、ベルト２３、２５を支持脚５３から外す。
そして、ベビーカー用カバー１を斜め前方へ引き上げるようにして、ベビーカー４５の本体４７から外す。
【００２７】
ベビーカー用カバー１を畳む場合には図８に示すように、ベビーカー用カバー１を捻るようにして、図９に示すようにフレーム３が二箇所交差する状態にしてシート５を重ねる。即ち、フレーム３の一部分どうしが二箇所交差することにより、フレーム３によって交差部を堺にする３つの輪５５ができ、図１０、図１１に示すようにこれら３つの輪５５が三段に重なる状態となって扁平になり、ベビーカー用カバー１を極めてコンパクトに畳むことができる。
前述のようにフレーム３の幅寸法３ｍｍ〜５ｍｍ、厚さ寸法０．５ｍｍ〜２ｍｍの鋼材から成る平板によって構成されているので、丸棒状の部材と異なり捻る方向の力が加わると比較的容易に弾性変形する。従って、ベビーカー用カバー１を簡単に畳むことが可能である。またフレーム３が上記のような形状であるため、フレーム３の厚み方向、即ちシート５を押し開く方向においては十分な弾性力を発揮することができる。
【００２８】
このようにして扁平な状態に畳んだベビーカー用カバー１を、図１２に示すように収納バッグ５７に収納する。収納バッグ５７の本体部５９は多少厚みのある円盤状に形成されている。本体部５９の上部には開口部が形成され、この開口部はファスナ６１によって閉じることができるようになっている。また、本体部５９には取っ手６３が設けられている。
ベビーカー用カバー１と収納バッグ５７とによってベビーカー用カバーセット６５が構成されている。
このように、ベビーカー用カバーセット６５ではベビーカー用カバー１をコンパクトに畳んで、簡単に持ち運びすることができる状態とすることが可能であり、ベビーカー用カバー１を不意に使用したい場合に備えて、嵩張ることなく持ち運ぶことが可能となる。
【００２９】
以上、本発明の実施の形態について詳述してきたが、具体的構成は、この実施の形態に限られるものではなく、本発明の要旨を逸脱しない範囲における設計の変更などがあっても発明に含まれる。
例えば、固定手段は上記した連結具の一方側１７が備えられたベルト１３、連結具の他方側１９が備えられたベルト１５、面ファスナの雄側部２７が備えられたベルト２３、面ファスナの雌側部２９が備えられたベルト２５に限定されず、他の構造を有する連結具等によって構成してもよい。
また、フレーム３を丸棒状の鋼製の線材等によって構成することも可能であり、シート５は上記したもの以外の天然繊維、合成繊維の織布、不織布によって構成することも可能である。
【産業上の利用可能性】
【００３０】
本発明のベビーカー用カバー、ベビーカー用カバーセット及びベビーカーは、ベビー用品を製造、販売する産業において利用可能性がある。
【図面の簡単な説明】
【００３１】
【図１】本発明の実施の形態に係るベビーカー用カバーの底を上側にした状態の斜視図である。
【図２】図１のベビーカー用カバーのフレームの斜視図である。
【図３】ベビーカー用カバーと、ベビーカー用カバーを装着するベビーカーの斜視図である。
【図４】ベビーカーに装着した図１のベビーカー用カバーの開閉部を閉じた状態の斜視図である。
【図５】ベビーカーに装着した図１のベビーカー用カバーの開閉部を開いた状態の斜視図である。
【図６】ベビーカーに装着した図１のベビーカー用カバーの日よけカバーがシートの上面を覆う状態の斜視図である。
【図７】ベビーカーに装着した図１のベビーカー用カバーの雨よけカバーがシートの上面を覆う状態の斜視図である。
【図８】ベビーカー用カバーを畳む途中の状態の斜視図である。
【図９】図８の状態におけるフレームの形状を示す斜視図である。
【図１０】ベビーカー用カバーを扁平に畳んだ状態の斜視図である。
【図１１】図１０の状態におけるフレームの形状を示す斜視図である。
【図１２】ベビーカー用カバーセットの斜視図である。
【符号の説明】
【００３２】
１…ベビーカー用カバー      ２…芯材      ４…管状体
３…フレーム      ５…シート      ６…開閉部
７…管状部      ８…ファスナ      ９…開口部
１１…メッシュ部      １３、１５…ベルト      １７、１９…連結具
２３、２５…ベルト      ２７…面ファスナの雄側部
７０…日よけカバー      ７５、７６…ベルト
７８…面ファスナの雄側部      ８０…面ファスナの雌側部
２９…面ファスナの雌側部      ３１…収納ポケット      ３３…ファスナ
３５…雨よけカバー      ３７…連結片      ３９…ホックの雄側部
４１…連結片      ４３…ホックの雌側部      ４５…ベビーカー
４６…フレーム      ４７…ベビーカーの本体      ４８…フード
４９…座席部      ５０…取っ手      ５１…車輪
５３…支持脚      ５５…輪      ５７…収納バッグ
５９…収納バッグの本体部      ６１…ファスナ
６３…取っ手      ６５…ベビーカー用カバーセット
B…赤ん坊    
【図１】
2009119933.tif 000003
【図２】
2009119933.tif 000004
【図３】
2009119933.tif 000005
【図４】
2009119933.tif 000006
【図５】
2009119933.tif 000007
【図６】
2009119933.tif 000008
【図７】
2009119933.tif 000009
【図８】
2009119933.tif 000010
【図９】
2009119933.tif 000011
【図１０】
2009119933.tif 000012
【図１１】
2009119933.tif 000013
【図１２】
2009119933.tif 000014